(57)【要約】【課題】従来の楽器用鍵盤のキートップは、上面が平面であり、表面が小さいキートップを用いて指を前方に押し出しつつキーを押し下げて演奏する場合に、指を押し出すときにキートップから指が飛び出してしまうおそれがあり、力を込めた打鍵ができない。この発明は、表面の小さなキートップであっても指を前方に押し出す打鍵方法において、指がキートップから飛び出すおそれを解消しようとするものである。【解決手段】この発明のキートップは、キートップの上面奥側縁に指が係止する堰を形成したものである。前記キートップの上面は手前側からは奥側に向けて下降傾斜とし、最下部から僅かに立ち上がらせて堰を構成することが好ましい。【選択図】  図１
2004325613.tif 000002
【特許請求の範囲】
【請求項１】
キートップの上面奥側縁に指が係止する堰を形成した、楽器用鍵盤のキートップ
【請求項２】
キートップの上面は手前側からは奥側に向けて下降傾斜とし、最下部から僅かに立ち上がらせて堰を構成した、請求項１記載の楽器用鍵盤のキートップ
【請求項３】
キートップの上面は、左右両側を立ち上がらせて断面凹弧状とした、請求項１又は２に記載の楽器用鍵盤のキートップ
【発明の詳細な説明】
【０００１】
【発明の属する技術分野】
この発明は、ピアノ、オルガンその他の鍵盤楽器において使用される楽器用鍵盤のキートップに関するものである。
【０００２】
【従来の技術】
出願人は先に、隣接するキーを全て全音相違の関係とした楽器用鍵盤を提案した（実願昭６１−１３８３２１号）。
この鍵盤は図７に示すように、同一幅のキー２１よりなるキー列２２ａ、２２ｂ、２２ｃ、２２ｄ、２２ｅを前後に千鳥状に配置し、各キー列における隣接キー間は全て全音相違とし、前後に隣接するキー間は全て半音相違としたものである。すなわち、第４図において、符号２２ｂで示されるキー列においては図中左から順にＣ、Ｄ、Ｅ、Ｆ＃、Ｇ＃、Ａ＃、Ｃ、Ｄという音ができるように全音相違の関係となっており、符号２２ｂ、２２ａで示される前後に隣接するキー列間は、キー列２２ｂに隣接するキー列２２ａのキーが奏でる音は半音相違のＣ＃であり、このキーと隣接するキー列２２ｂのもう一つのキーは、半音相違のＤ音を奏でるようにしてある。
このように、横に隣接するキー同士の音程差を全て全音とした鍵盤は、全音と半音が混ざり合う通常の鍵盤との対比において、「全音鍵盤」と呼ばれている。
【０００３】
そして、この鍵盤においては図８に示すように、水平杆２３の上部に複数のキートップ２４を突設したキーが使用される。
このキーのキートップ２４は、第７図に示すように、前後に配置されたキー列の同じ音を奏でるキーを構成し、３つのキー本体がそれぞれキー列２２ａ、２２ｂ、２２ｃの一部を構成することとなる。
図７の鍵盤は、図８のように３つのキートップ２４を突設したキーと、図８における３つのキー本体の間隙部分に対応して２つのキートップを突設したキーとを交互に配置して構成する。すなわち、図７において鍵盤列２２ａ、２２Ｃ、２２ｅは図８のような３つのキー本体を突設したキーで構成され、鍵盤列２２ｂ、２２ｄは、２つのキー本体を突設したキーで構成される。
そして、図７の鍵盤において、鍵盤列２２ａ、２２ｃ、２２ｅの上下方向に同位置にあるキー（例えば図７に符号２４を示した３つのキー）は、同一の水平杆２３に突設された共通のキーであるから、同じ音を奏でる。
【０００４】
【発明が解決しようとする課題】
ところで、従来の楽器用鍵盤のキートップは、上面が平面であった。
鍵盤楽器を演奏するとき、曲目によっては（特にロック）指を前方に押し出しつつキーを押し下げる場合がある。その場合、上記図５のようなキーにおいては個々のキートップの表面が小さいので、指を押し出すときにキートップから指が飛び出してしまうおそれがあり、力を込めた打鍵ができない。
この発明は、表面の小さなキートップであっても指を前方に押し出す打鍵方法において、指がキートップから飛び出すおそれを解消しようとするものである。
【０００５】
【課題を解決するための手段】
この発明のキートップは、キートップの上面奥側縁に指が係止する堰を形成したものである。前記キートップの上面は手前側からは奥側に向けて下降傾斜とし、最下部から僅かに立ち上がらせて堰を構成することが好ましい（請求項２）。
また、請求項３の発明は、キートップの上面は、左右両側を立ち上がらせて断面凹弧状としたものであり、指が自然とキートップの中心に位置することとなる。
また、キートップの平面形状は、円形、楕円形、方形その他の多角形の何れでもよいが、平面円形とすると個々のキートップを識別しやすい。
そして、キートップは上部を円柱状とし、下部を六角柱状として構成する六角形部分が隣接するキートップと密に接することとなり、ゴミの落下が防止される。
なお、この発明のキートップは、演奏用のキーボードであれば全て適用可能である。
【０００６】
【作用】
この発明のキートップにおいて、指を前方に押し出しつつ打鍵するとき、指の前方への移動は堰によって阻止される。したがって、キートップの上面が小さくとも指がキートップから飛び出すことがなく、力を込めた演奏が可能となる。
【０００７】
【発明の実施の形態】
図１はこの考案のキートップＡである。平面楕円形とした有頂筒体であって、下方に水平杆に取り付けるための脚１が設けてある。
このキートップＡの上面２には演奏時手前側から奥側に向けて下降する傾斜面３（例えば傾斜角２５度程度。５度程度でもよい）が形成してあり、奥側縁に傾斜面３の最下部から約４５度の傾斜で立ち上がった堰４が形成してある。この堰４の高さは演奏時に前方に押し出される指が係止し、指がキートップから飛び出すことを阻止する高さであればよい。他方演奏時に堰４に爪が当たることは好ましくないので、この点を考慮すると２ないし５ミリ程度が適当である。
また、前記堰の内側面にはクッション材を取り付けて演奏者に与える衝撃を弱め、かつ摩擦を増大させて指の飛び出しを防止することも考えられる。
【０００８】
前記キートップＡの上面５は、左右両側においてせり上がっており、断面凹弧状をなしている（図１（Ｆ）参照）。このように構成することにより、指は自然にキートップの中心に位置することとなり、適正な打鍵が行われる。
【０００９】
上記のように構成されたキートップＡは、平面視縦長のキートップＢと組み合わせて水平杆Ｃに取り付けてキーを構成する。
前記縦長のキートップＢはグリッサント奏法の為に使用するものである。そして縦長のキートップＢは、前記キートップＡを２個取り付けた水平杆に取り付ける、長く端部が膨大したものと、前記キートップＡを３個取り付けた水平杆に取り付ける、短いものとがある（図３）。
何れのタイプのものも、上面５は側面視断面凹弧状として、演奏時における手前側から奥側に向けて下降した後に上向き傾斜となっている。そして、膨大した端部６の端縁の高さは斜め手前に位置する直近のキートップＡにスムーズに指を滑らせることができるように、直近のキートップＡの堰４よりも高い位置にあるようにしてある（図４）。
【００１０】
前記水平杆Ｃは、水平な基板７に前記キートップＡの脚１と係合する受け板８を形成したものであり、キートップＡの取り付け高さが手前側から奥側へ向けて順次高くなるように、受け板８の高さは手前側から奥側へ向けて順次高くしてある。
なお、水平杆Ｃは、キートップＡを２個と端部が膨大した縦長のキートップＢを取り付けるように構成したものと、キートップＡを３個と膨大部のない縦長のキートップＢを取り付けるようにしたものとの２タイプを用意する。
【００１１】
上記のように構成されたキートップＡ，縦長のキートップＢを水平杆Ｃに取り付けることにより、２個又は３個のキートップＡが取り付けられたキーを得ることができる。そして、２個のキートップＡが取り付けられたキーと３個のキートップＡが取り付けられたキーとを交互に配置することにより、キートップが千鳥状に配列された全音鍵盤を得ることができる。
【００１２】
図５は平面六角形としたキートップＡを示すものである。ここにおいても、上面は手前側から奥側に向けて下降する傾斜面３とし、奥側縁に堰４が形成してある。
キートップＡの平面形状を六角形とすることにより、全音鍵盤として配列したときに、図６に示すようにキートップ間に無駄な間隙が生じることがなく、ゴミが入りにくい。
なお、キートップの上部を円柱状（平面円形）として下部のみ六角柱として構成しても、同様の効果を得ることができ、かつ平面円形としたことによる個々のキートップを識別しやすいという効果も合わせ得ることができる。
【００１３】
上記において、キートップＡの上面を傾斜面としたので、打鍵時の衝撃が少ないが、傾斜面とすることは必須でない。なお、１本の水平杆に２個又は３個のキートップＡを取り付けるものとしたが、取り付けるキートップの数は任意に選択することができる。
また、電子楽器の鍵盤として使用する場合はキートップのみで使用することができ、水平杆は不要である。
【００１４】
【発明の効果】
この発明においては、キートップの奥側縁に指が係止する堰を設けたので、小面積のキートップを、指を前方に押し出す奏法で打鍵した場合においても、指がキートップから飛び出すおそれがなく、力強い演奏が可能となる。
【図面の簡単な説明】
【図１】この発明実施形態のキートップであり、（Ａ）は左側面図、（Ｂ）は正面図、（Ｃ）は背面図、（Ｄ）は９０度左回りに回転させた平面図、（Ｅ）は同じく底面図、（Ｆ）は断面図である。
【図２】この発明のキートップと組み合わされる水平杆の側面図。
【図３】この発明のキートップを取り付けたキーを３本組み合わせた状態の平面図
【図４】この発明のキートップを取り付けたキーと組み合わせた状態の側面図
【図５】この発明実施形態の平面形状を六角形としたキートップであり、（Ａ）は左側面図、（Ｂ）は正面図、（Ｃ）は背面図、（Ｄ）は平面図、（Ｅ）は底面図である。
【図６】平面六角形としたキートップを取り付けたキーを３本組み合わせた状態の平面図
【図７】全音鍵盤の説明図
【図８】全音鍵盤用のキーの説明図
【符号の説明】
Ａ    キートップ
Ｂ    縦長のキートップ
Ｃ    水平杆
１    脚
２    上面
３    傾斜面
４    堰
５    上面
６    端部
７    基板
８    受け板
【図１】
2004325613.tif 000003
【図２】
2004325613.tif 000004
【図３】
2004325613.tif 000005
【図４】
2004325613.tif 000006
【図５】
2004325613.tif 000007
【図６】
2004325613.tif 000008
【図７】
2004325613.tif 000009
【図８】
2004325613.tif 000010